(57)【要約】電気泳動ディスプレイユニット（１）は、フレーム期間のシーケンスの少なくとも２フレーム期間が異なるフレーム期間持続時間を有するフレーム期間のシーケンスを生成することにより、及び画素（１１）の駆動パルスを供給するためにフレーム期間のシーケンスからフレーム期間を選択することにより、更に柔軟性をもって駆動されることができる。画素（１１）を駆動するために選択されない残りのフレーム期間の間、この画素（１１）は双安定特性のためにその階調値を保つ。フレーム期間のフレーム期間持続時間は次のフレーム期間の開始を遅延させることにより適合される。正の振幅を有する部分及び負の振幅を有する部分を有するデータ依存性信号を供給することにより、正味の駆動は、有効階調値数を更に増加させるために、正の振幅を有する部分と負の振幅をする部分との間の差である。
2006527410.tif 000002
【特許請求の範囲】
【請求項１】
電気泳動ディスプレイユニットであって：
−  画素を有する電気泳動ディスプレイパネル；
−  前記画素にパルスを供給するためにフレーム期間のシーケンスからフレーム期間を選択することにより入力画像に依存する駆動信号を生成するための制御器であって、前記のフレーム期間のシーケンスの少なくとも２つのフレーム期間は異なるフレーム期間持続時間を有する、制御器；及び
−  前記駆動信号に応じて前記画素に前記パルスを供給するためのドライバ；
を有することを特徴とする電気泳動ディスプレイユニット。
【請求項２】
請求項１に記載の電気泳動ディスプレイユニットであって、前記制御器はフレーム期間の開始を遅延させるように備えられ、それにより、先行フレーム期間のフレーム期間持続時間を適合させる、ことを特徴とする電気泳動ディスプレイユニット。
【請求項３】
請求項１に記載の電気泳動ディスプレイユニットであって、前記ドライバは、正の振幅及び負の振幅を有するパルスを供給するように備えられている、ことを特徴とする電気泳動ディスプレイユニット。
【請求項４】
請求項１に記載の電気泳動ディスプレイユニットであって：
前記駆動信号に対して選択されるフレーム期間に関する情報を記憶するための前記制御器に結合されたメモリ；
を更に有する、ことを特徴とする電気泳動ディスプレイユニット。
【請求項５】
請求項４に記載の電気泳動ディスプレイユニットであって、前記駆動信号は：
−  駆動パルスの組み合わせ毎に記憶されている情報；
と共に、
−  シェーキングパルス：
−  １つ又はそれ以上のリセットパルス：及び
−  １つ又はそれ以上の駆動パルス；
を備えている行駆動信号及び列駆動信号を有する、ことを特徴とする電気泳動ディスプレイユニット。
【請求項６】
請求項４に記載の電気泳動ディスプレイユニットであって、前記駆動信号は：
−  リセットパルスの組み合わせ毎に記憶されている情報；
と共に、
−  シェーキングパルス：
−  １つ又はそれ以上のリセットパルス：及び
−  １つ又はそれ以上の駆動パルス；
を備えている行駆動信号及び列駆動信号を有する、ことを特徴とする電気泳動ディスプレイユニット。
【請求項７】
請求項１に記載の電気泳動ディスプレイユニット；及び
前記電気泳動ディスプレイユニットに表示される情報を記憶するための媒体；
を有することを特徴とする表示装置。
【請求項８】
画素を有する電気泳動ディスプレイパネルを有する電気泳動ディスプレイユニットを駆動するための方法であって：
−  前記画素にパルスを供給するためにフレーム期間のシーケンスからフレーム期間を選択することにより入力画像に依存する駆動信号を生成する段階であって、前記のフレーム期間のシーケンスの少なくとも２フレーム期間は異なるフレーム期間持続時間を有する、段階；及び
−  前記駆動信号に応じて、前記画素に前記パルスを供給する段階；
を有することを特徴とする方法。
【請求項９】
画素を有する電気泳動ディスプレイパネルを有する電気泳動ディスプレイユニットを駆動するためのコンピュータプログラムであって：
−  前記画素にパルスを供給するためにフレーム期間のシーケンスからフレーム期間を選択することにより入力画像に依存する駆動信号を生成する機能であって、前記のフレーム期間のシーケンスの少なくとも２フレーム期間は異なるフレーム期間持続時間を有する、機能；及び
−  前記駆動信号に応じて、前記画素に前記パルスを供給する機能；
を有することを特徴とするコンピュータプログラム。
【請求項１０】
画素を有する電気泳動ディスプレイパネルを有する電気泳動ディスプレイユニットのための駆動回路構成であって：
−  前記画素にパルスを供給するためにフレーム期間のシーケンスからフレーム期間を選択することにより入力画像に依存する駆動信号を生成するための制御器であって、前記のフレーム期間のシーケンスの少なくとも２フレーム期間は異なるフレーム期間持続時間を有する、制御器；及び
−  前記駆動信号に応じて、前記画素に前記パルスを供給するためのドライバ；
を有することを特徴とする駆動回路構成。
【発明の詳細な説明】
【技術分野】
【０００１】
本発明は、電気泳動ディスプレイユニット、電気泳動ディスプレイユニットを有する表示装置、電気泳動ディスプレイユニットを駆動する方法及び電気泳動ディスプレイユニットを駆動するためのプロセッサプログラムプロダクトに関する。
【０００２】
この種類の表示装置の例としては、モニタ、ラップトップコンピュータ、携帯情報端末（ＰＤＡ）、携帯電話、電子ブック、電子新聞及び電子雑誌がある。
【背景技術】
【０００３】
従来技術の表示装置については、特許文献、国際公開第９９／５３３７３号パンフレットに記載されている。この特許の出願においては、２つの基板を有する電子インクディスプレイであって、それらの基板の一は透明であり、共通電極（又、対向電極として知られている）を有し、他の基板は行列状に配列された画素電極を備えている、電子インクディスプレイについて開示されている。画素は共通電極と画素電極との間の部分に形成されている。画素電極はトランジスタのドレインに結合され、そのトランジスタのソースは列電極に結合され、そのトランジスタのドレインは行電極に結合されている。このような、画素、トランジスタ、行及び列電極の構成はアクティブマトリクスを協働して構成する。行ドライバ（選択ドライバ）は画素の行を選択するための選択信号を供給し、列ドライバ（データドライバ）は列電極及びトランジスタにより選択された画素の行にデータ信号を供給する。データ信号は表示されるデータに対応し、選択信号と共に、１つ又はそれ以上の画素を駆動するための駆動信号（の一部）を構成する。
【０００４】
更に、電子インクは、画素電極と透明基板において備えられている共通電極との間に備えられている。電子インクは、約１０乃至５０μｍの複数のマイクロカプセルを有する。各々のマイクロカプセルは、流体中に懸濁された正に帯電した白色粒子及び負に帯電した黒色粒子を有する。正電界が画素電極に印加されるとき、白色粒子は透明基板の方に方向付けられたマイクロカプセルの側に移動し、画素はビューアに対して視認可能になる。同時に、黒色粒子は、それらがビューアに対して隠されているマイクロカプセルの反対側の画素電極に移動する。画素電極に負電界を印加することにより、黒色粒子は、透明基板の方に方向付けられたマイクロカプセルの側の共通電極に移動し、画素はビューアには暗く見える。同時に、白色粒子は、それらがビューアに対して隠されているマイクロカプセルの反対側の画素電極に移動する。電界が取り除かれるとき、表示装置はもたらされた状態のまま維持され、双安定特性を示す。
【０００５】
画素の履歴に関する電気泳動ディスプレイユニットの光学的応答依存性を低減させるため、プリセットデータ信号は、データ依存性信号が印加される前に印加される。それらのプリセット信号は、２つの電極の一において静止状態から電気泳動粒子を開放するに十分であるが、粒子が電極の他の一に到達するようにするには小さ過ぎるエネルギーを表すパルスを有する。低い履歴依存性のために、同等のデータに対する光学的応答は、画素の履歴に拘らず、実質的に等しい。基本的メカニズムについては、表示装置が所定状態、例えば、黒色状態にスイッチングされた後、電気泳動粒子は静止状態になるということにより説明することができる。続く白色状態へのスイッチングがなされるとき、粒子の運動量は、それらの初速が略０であるために小さい。この結果、この大きい依存性を克服するために長いスイッチング時間を必要とする履歴への大きい依存がもたらされる。プリセット信号の適用は電気泳動粒子の運動量を増加させ、それ故、その依存性を低減させる（そして、より短いスイッチング時間を可能にする）。
【０００６】
電気泳動ディスプレイユニットの画素の各々の更新は、行毎に、行を選択（駆動）するために行に選択信号を印加するための行駆動作用と、例えば、画素にデータ依存性信号のパルス及びプリセットデータ信号のパルスのようなパルスを印加するための列駆動作用とを必要とする。（互いに各々の行を駆動することにより及び行毎に全ての列を同時に１度駆動することにより）全ての行の全ての画素を１度駆動するために必要な時間間隔はフレーム期間と呼ばれている。
【０００７】
それ故、フレームの第１集合の間、プリセットデータ信号のパルスは、１フレーム期間の持続時間を有する各々のパルスと共に、画素に印加される。第１パルスは、例えば、正の振幅を有し、第２パルスは負の振幅を有し、そして第３パルスは正のシンプルを有する等である（交流振幅）。それらのパルスの持続時間が比較的短い限り、パルスは画素により表示される階調値を変えない。
【０００８】
１つ又はそれ以上のフレーム期間を有するフレームの第２集合の間、データ依存性信号の１つ又はそれ以上のパルスが供給される。データ依存性信号は、例えば、１５フレーム期間に対して、０、１、２の持続時間を有する。その結果、例えば、０フレーム期間の持続時間を有するデータ依存性信号は、フルブラックを表示する画素に対応する（フルブラックが既に表示された画素の場合；特定の階調値を表示する場合、この階調値は、０フレーム期間の持続時間を有するパルスにより駆動されるとき、換言すれば、０振幅を有するパルスにより駆動されるとき、不変のまま維持される）。１５フレーム期間の持続時間を有するデータ依存性信号は１５個の後続パルスを有し、例えば、フルホワイトを表示する画素に対応し、そして、１乃至１４フレーム期間の持続時間を有するデータ依存性信号は１乃至１４個の後続パルスを有し、例えば、フルブラックとフルホワイトとの間の限られた階調値数の１つを表示する画素に対応する。
【０００９】
同じ固定持続時間を各々有するフレーム全てのために、電気泳動ディスプレイユニットの駆動は非常に柔軟性がない。非常に大きい２つの後続階調値間の差により、階調値数は制限され、増加されることはない。
【００１０】
従来の電気泳動ディスプレイユニットは、特に、比較的柔軟性のない電気泳動ディスプレイユニットの駆動のために、不利である。
【発明の開示】
【発明が解決しようとする課題】
【００１１】
本発明の目的は、特に、比較的柔軟性のある電気泳動ディスプレイユニットを提供することである。本発明は、独立請求項により規定される。従属請求項は有利な実施形態を規定する。
【課題を解決するための手段】
【００１２】
本発明に従った電気泳動ディスプレイユニットは：
−  画素を有する電気泳動ディスプレイパネルと；
−  画素にパルスを供給するための一連のフレーム期間からフレーム期間を選択することにより入力画像に依存する駆動信号を生成するための制御器であって、一連のフレーム期間の少なくとも２つのフレーム期間は異なるフレーム期間の持続時間を有する、制御器と；
−  駆動信号に応じて画素にパルスを印加するためのドライバと；
を有する。
【００１３】
フレーム期間のシーケンスの少なくとも２フレーム期間が異なるフレーム期間の持続時間を有するフレーム期間のシーケンスを導入することにより、及び、例えば、画素にデータ依存性信号のパルスを供給するためのフレーム期間のシーケンスからフレーム期間を選択することにより、有効な階調値数が増加され、階調値が更に正確に生成されることができる。フレームを付加することによりフレームの多くのフレームの組み合わせを構成するための固定フレーム期間を与え、その間に駆動信号の一部が印加されるようになっている従来技術の実施形態と対照的に、本発明に従って、１つ又はそれ以上のより短いフレーム又は１つ又はそれ以上のより長いフレームが任意に組み合わされることができる。画素を駆動するために選択されない残りのフレームの間、この画素は双安定特性のためにその階調値を保つ。
【００１４】
本発明に従った電気泳動ディスプレイユニットの実施形態について、請求項２に規定されている。フレーム期間の開始を遅延することにより、先行するフレーム期間のフレーム期間持続時間が適合される（フレーム期間の開始を遅延させるために用いられる遅延時間を用いて延ばされる）。
【００１５】
本発明に従った電気泳動ディスプレイユニットの実施形態について、請求項３に規定されている。例えば、正の振幅及び負の振幅を有するデータ依存性信号のパルスを印加することにより、正味の駆動は、有効な階調値数を更に増加させるために、正の振幅のパルスと負の振幅のパルスとの間に差をもたらす。
【００１６】
本発明に従った電気泳動ディスプレイユニットの実施形態について、請求項４に規定されている。駆動信号のために選択されるようになっているフレーム期間に関する情報を記憶することにより、必要な１つ又はそれ以上のフレーム期間が、画素に印加される駆動信号の１つを選択するとき、自動的に選択される。
【００１７】
本発明に従った電気泳動ディスプレイユニットの実施形態について、請求項５に規定されている。駆動パルスは、例えば、上記のデータ依存性信号のパルスと対応する。リセットパルスは、駆動パルスのために固定開始点（固定黒色又は固定白色）を規定することにより、電気泳動ディスプレイユニットの光学的応答を更に改善するために駆動パルスに先行する。代替として、リセットパルスは、駆動パルスのための柔軟な開始点（後続駆動パルスにより規定される階調値に最も近い及びその階調値に依存して選択されるようになっている白色及び黒色）を規定することにより、電気泳動ディスプレイユニットの光学的応答を更に改善するために駆動パルスに先行する。情報は駆動パルスの組み合わせ毎に記憶され、各々の組み合わせは駆動パルスにより生成される有効な階調値に対応している。
【００１８】
本発明に従った電気泳動ディスプレイユニットの実施形態について、請求項６に規定されている。この実施形態においては、情報はリセットパルスの組み合わせ毎に記憶され、各々の組み合わせは駆動パルスにより生成される有効な階調値に対応している。
【００１９】
請求項７に記載されている表示装置は電子ブックである一方、情報を記憶するための媒体は、メモリスティック、集積回路、メモリ、又は、例えば、電気泳動ディスプレイユニットにおいて表示されるブックのコンテンツを記憶するための他の記憶装置であることが可能である。
【００２０】
本発明に従ったプロセッサプログラムプロダクト及び本発明に従った方法の実施形態は、本発明に従った電気泳動ディスプレイユニットの実施形態に対応している。
【００２１】
本発明は、特に、固定フレーム期間を有する従来技術が相対的に柔軟性のないドライバをもたらすという洞察に基づき、そして、異なるフレーム期間持続時間を有する異なるフレーム期間の（組み合わせの）選択がドライバをより柔軟的にするという基本概念に基づいている。
【００２２】
本発明は、特に、比較的柔軟性のあるドライバを有する電気泳動ディスプレイユニットを提供することにより、上記問題点を解決し、そして、特に、有効な階調値数を増加し、それらの階調値はより正確に生成されることができることから有利である。
【００２３】
本発明の上記の及び他の特徴については、以下、詳述する実施形態を参照して明らかになり、理解されることであろう。
【発明を実施するための最良の形態】
【００２４】
図１に示す電気泳動ディスプレイユニットの画素１１は、ベース基板２と、２つの透明基板３、４間にある電子インクであって、例えば、ポリエチレンを有する電気泳動薄膜を有する電気泳動膜（ベース基板上に積層された）とを有する。それらの基板の一３は透明な画素電極５を備え、他の基板４は透明な共通電極６を備えている。電子インクは、直径約１０乃至５０μｍの複数のマイクロカプセルを有する。各々のマイクロカプセル７は、流体１０中に懸濁された正に帯電した白色粒子８及び負に帯電した黒色粒子９を有する。正電界が画素電極５に印加されるとき、白色粒子８は共通電極の方に方向付けられたマイクロカプセル７の側に移動し、画素要素はビューアに対して可視的になる。同時に、黒色粒子９は、ビューアに対して隠されているマイクロカプセル７の反対側に移動する。画素電極５に負電界を印加することにより、黒色粒子９は、対向電極６の方に方向付けられたマイクロカプセル７の側に移動し、画素はビューアに対して暗く現れる（図示せず）。電界が取り除かれるとき、粒子８、９はもたらされた状態のまま維持され、ディスプレイは双安定特性を示し、実質的に電力を消費しない。
【００２５】
図２に示されている電気泳動ディスプレイユニット１は、行又は選択電極４１、４２、４３と、列又はデータ電極３１、３２、３３との交差部分の領域に画素のマトリクスを有するディスプレイパネルＤＰを有する。それらの画素１１は全て、共通電極６に結合され、各々の画素１１はそれ自体の画素電極５に結合されている。電気泳動ディスプレイユニット１は、行電極４１、４２、４３に結合された行ドライバ４０と、列電極３１、３２、３３に結合された列ドライバ３０とを更に有し、各々の画素１１についてアクティブスイッチング要素１２を有する。電気泳動ディスプレイユニット１はそれらのアクティブスイッチング要素１２（この例においては（薄膜）トランジスタ）により駆動される。行ドライバ４０は、行電極４１、４２、４３を連続的に選択する一方、列ドライバ３０は、列電極３１、３２、３３にデータ信号を供給する。好適には、制御器２０は、先ず、入力２１により到達する入力データを処理し、次いで、データ信号を生成する。列ドライバ３０と魚ウドライバ４０の間の相互同期化が、駆動ライン２３及び２４により行われる。行ドライバ４０からの選択信号は、ドレイン電極が画素電極５に電気的に結合され、ゲート電極が行電極４１、４２、４３に電気的に結合され、ソース電極が列電極３１、３２、３３に電気的に結合されたトランジスタ１２により画素電極５を選択する。列電極３１、３２、３３に存在するデータ信号は、トランジスタ１２のドレイン電極に結合された画素１１の行の画素電極５に同時に転送される。トランジスタに代えて、例えば、ダイオード、ＭＩＭ等の他のスイッチング要素を用いることが可能である。データ信号及び選択信号は共に、駆動信号（の一部）を構成する。
【００２６】
制御器２０、行ドライバ４０及び列ドライバ３０は共に、駆動回路構成２０、３０、４０を構成する。この駆動回路構成は１つ又はそれ以上の集積回路により構成されることが可能であり、それらの集積回路は電気ユニットにおいて他の構成要素と結合されることが可能である。
【００２７】
入力２１により受信可能な画像情報は制御器２０により処理される。更に、制御器２０は、新しい画像についての新しい画像情報の到達を検出し、それに応じて、受信された画像情報の処理を開始する。このような画像情報の処理は、新しい画像情報のローディング、制御器２０のメモリに記憶されている前画像と新しい画像との比較、温度センサとの双方向対話、駆動波形のルックアップテーブルを有するメモリへのアクセス等を有することが可能である。最終的に、制御器２０は、いつ、このような画像情報の処理が準備できているかを検出する。
【００２８】
次いで、制御器２０は、駆動ライン２３により列ドライバ３０に供給されるデータ信号を生成し、駆動ライン２４により行ドライバに供給されるべき選択信号を生成する。それらのデータ信号は、全ての画素１１に対して同じであるデータ非依存性信号と画素毎に異なることが可能であり又は可能でないデータ依存性信号とを有する。データ非依存性信号は、１つ又はそれ以上のリセットパルスと１つ又はそれ以上の駆動パルスとを有するデータ依存性信号と共に、プリセットパルスを構成するシェーキングパルスを有する。それらのシェーキングパルスは、２つの電極５、６の一における静止状態から電気泳動粒子を開放するには十分であるが、粒子８、９が電極５、６の他の一に到達するようにするには小さ過ぎるエネルギーを表すパルスを有する。履歴における依存性の低減のために、同等のデータに対する光学的応答は、画素の履歴に拘らず、実質的に等しい。それ故、シェーキングパルスは、画素の履歴に関する電気泳動ディスプレイユニットの光学的応答の依存性を低減させる。駆動パルスは所望の光学的状態に粒子を移行させる。リセットパルスは、駆動パルスのための柔軟な開始点を規定することにより、光学的応答を更に改善するために駆動パルスに先行する。この開始点は、後続駆動パルスにより規定される階調値に最も近く、その階調値に依存して選択されるような白色又は黒色レベルであることが可能である。代替として、リセットパルスは、データ非依存性信号の一部を構成することが可能であり、駆動パルスに対して、固定の開始点を規定することにより、電気泳動ディスプレイユニットの光学的応答を更に改善するために駆動パルスに先行することが可能である。この開始点は固定黒色レベル又は固定白色レベルであることが可能である。
【００２９】
図３において、時間ｔの関数として画素１１に対する波形を表す電圧が電気泳動ディスプレイユニット１を駆動するために示されている。その波形は、列ドライバ３０により供給されるデータ信号を用いて生成される。その波形は、駆動パルスＤｒの組み合わせ及びリセットパルスＲの組み合わせにより後続されるシェーキングパルスＳｈを有する。例えば、４つの階調を有する電気泳動ディスプレイユニットについて、１６個の異なる波形が、制御器２０に結合され及び／又は制御器の一部を構成する、例えば、ルックアップテーブルメモリ等のようなメモリに記憶される。入力部２１により受信されたデータに応じて、制御器２０は１つ又はそれ以上の画素１１を選択し、対応する１つ又はそれ以上の画素１１及び対応するトランジスタ１２に対応するドライバ３０、４０により対応する選択信号及びデータ信号を供給する。
【００３０】
フレーム期間は、各々の行を順次に駆動することにより及び全ての列を行毎に１回駆動することにより、電気泳動ディスプレイユニット１における画素全てを１回駆動するために用いられる時間間隔に対応する。フレームの間に画素１１にデータ非依存性信号を供給するために、列ドライバ３０は、行における全ての画素１１がそれらのデータ非依存性信号を同時に受信するような方式で制御器２０により制御される。これは、行が順次に選択される（選択された行における全てのトランジスタ１２は導通状態にある）方式で行ドライバ４０を制御する制御器を用いて、行毎になされる。フレームの間、画素１１にデータ依存性信号を印加するために、制御器２０は、第１行が選択される（この行における全てのトランジスタ１２は導通状態にある）ような方式で、行ドライバ４０を制御し、その後、列ドライバ３０は、この行における画素１１がそれらのトランジスタ１２により同時にそれらのデータ依存性信号を同時に受信するような方式で制御器２０により制御される。次いで、次の行が制御器２０により選択され、それが繰り返される。
【００３１】
図３に示している画素１１の電圧レベルは、行を選択する（駆動する）ためにその行に行駆動信号（選択信号）を印加するための行駆動作用と、画素にデータパルスを印加するための列駆動作用と、を行毎に必要とする。
【００３２】
フレームの第１集合の間、シェーキングパルスＳｈが、１フレーム期間の持続時間を有する各々のシェーキングパルスと共に、画素１１に印加される。第１シェーキングパルスは、例えば、正の振幅を有し、第２シェーキングパルスは負の振幅を有し、そして第３シェーキングパルスは正の振幅を有する、等（交流振幅）となり、それ故、それらのシェーキングパルスは、フレーム期間が比較的短い限り、画素１１により表示される階調値を変えない。
【００３３】
１つ又はそれ以上のフレーム期間を有するフレームの第２集合の間、リセットパルスＲの組み合わせが、下記のように、更に印加される。１つ又はそれ以上のフレーム期間を有するフレームの第３集合の間、例えば、１５フレーム期間に１つ又は２つの持続時間を有するか又は、実際には、０振幅を有するパルスであり、０フレーム期間の持続時間を有するかどちらかの駆動パルスＤｒの組み合わせと共に、駆動パルスＤｒの組み合わせが印加される。それにより、０フレーム期間の持続時間を有する駆動パルスＤｒは、例えば、フルブラックを表示する画素１１に対応する（フルブラックを既に表示した画素１１の場合；特定の階調値を表示する場合、この階調値は、０フレーム期間の持続時間を有する駆動パルスにより駆動されるとき、又は、０振幅を有するパルスにより駆動されるとき、不変のまま維持される）。１５フレーム期間の持続時間を有する駆動パルスＤｒの組み合わせは、１５個の後続パルスを有し、例えば、フルホワイトを表示する画素１１と対応する。
１乃至１４フレーム期間の持続時間を有する駆動パルスＤｒの組み合わせは１乃至１４個の後続パルスを有し、例えば、フルブラックとフルホワイトとの間の限られた数の階調値の１つを表示する画素１１に対応する。
【００３４】
リセットパルスＲは、駆動パルスＤｒに対して固定開始点（固定ブラック又は固定ホワイト）を規定することにより、電気泳動ディスプレイユニット１の光学的応答を更に改善するために駆動パルスＤｒに先行する。代替として、リセットパルスＲは、駆動パルスＤｒに対して固定開始点（後続駆動パルスにより規定される階調値に最も近い及びその階調値に依存して選択されるブラック又はホワイト）を規定することにより、電気泳動ディスプレイユニット１の光学的応答を更に改善するために駆動パルスＤｒに先行する。
【００３５】
全てのフレームは同じ固定持続時間を有するため、従来技術の電気泳動ディスプレイユニット１の駆動は非常に柔軟性がない。階調値数は、非常に大きい２つの後続階調値の間の差により、制限され且つ増加されない。
【００３６】
図４は、各々が２０ｍｓｅｃの第１フレーム期間及び３０ｍｓｅｃの第２フレーム期間を有する、本発明に従った時間の関数としての第１データ依存性信号Ｄｒ１及び第２データ依存性信号Ｄｒ２を示している。第１データ依存性信号Ｄｒ１は、２０ｍｓｅｃの持続時間と負の振幅とを有する第１部分と、３０ｍｓｅｃの持続時間と正の振幅とを有する第２部分とを有する。第１データ依存性信号Ｄｒ１の正味の効果は、波形（なみがた）で満たされた小さいパルスにより示されているように、正の振幅と１０ｍｓｅｃの持続時間を有するパルスに相当する。第２データ依存性信号Ｄｒ２は、第１フレームの間に正の部分と第２フレームの間の負の部分の他に、正の振幅と共に２０ｍｓｅｃの第３フレーム期間を有する。第２データ依存性信号Ｄｒ２の正味の効果は、波形（なみがた）で満たされた小さいパルスにより示されているように、正の振幅と１０ｍｓｅｃの持続時間を有するパルスに相当する。それ故、データ依存性信号Ｄｒ１及びＤｒ２の効果は、それらの各々の一が同じ正味の持続時間及び振幅を有するため、同等である。しかしながら、データ依存性信号Ｄｒ１は、より少ないスイッチング作用数と大きい駆動速度とを可能にする。更に、この実施例は、１０ｍｓｅｃの正味のパルスが与えられるが、適用される最小のフレーム期間は２０ｍｓｅｃであることを示している。
【００３７】
それらの正味のパルスは、有効な後続階調値のより小さいステップ及び有効な階調値数の有効な増加をもたらす。所望の階調値は、正のフレーム期間及び／又は負のフレーム期間を有するフレームの組み合わせにより生成される。画素を駆動するために選択されないフレームの間、この画素１１は、双安定特性のためにその階調値を保つ。
【００３８】
フレーム期間は、後続フレーム期間の開始を遅延させることにより延ばされることが可能である。制御器２０は、例えば、各々が生成される階調に対応する多くのデータ依存性信号Ｄｒ１、Ｄｒ２を記憶するためのルックアップテーブルのようなメモリ（図示せず）を有する及び／又はそのメモリに結合される。駆動パルスの組み合わせを有する各々のデータ依存性信号に対して、画素１１に印加されるデータ依存性信号を供給するためどのフレーム期間が選択されるべきかについての情報が記憶されている。勿論、この情報は又、リセットパルスのための有効な階調値数を増加させるために、リセットパルスの組み合わせ毎に記憶されることができる。
【００３９】
図５は、それぞれ、２０ｍｓｅｃ、２４ｍｓｅｃ、２８ｍｓｅｃ、３２ｍｓｅｃ及び３６ｍｓｅｃの異なるフレーム期間持続時間を有する５つの異なるフレームＦ１、Ｆ２、Ｆ３、Ｆ４及びＦ５を有する、本発明に従ったフレーム期間のシーケンスを示している。それぞれ４、８、１２、．．．、８０ｍｓｅｃの正味の持続時間を有し、それらの異なるフレームの選択により構成されている、各々、１つ又はそれ以上の部分を有する２０個の異なったデータ依存性信号Ａ乃至Ｔが示されている。
【００４０】
データ依存性信号Ａは、Ｆ１の間に供給される負の振幅を有する第２部分とＦ２の間に供給される正の振幅を有する第１部分とを有する信号として、４ｍｓｅｃの正味の持続時間を有する。短い表記法においては、正味の持続時間はＡ＝Ｆ２−Ｆ１で表される。データ依存性信号Ｂ乃至Ｔの正味の持続時間は、次のように表される。即ち、Ｂ＝Ｆ３−Ｆ１、Ｃ＝Ｆ４−Ｆ１、Ｄ＝Ｆ５−Ｆ１、Ｅ＝Ｆ１、Ｆ＝Ｆ２、Ｇ＝Ｆ３、Ｈ＝Ｆ４、Ｉ＝Ｆ５、Ｊ＝Ｆ１＋Ｆ１、Ｋ＝Ｆ１＋Ｆ２、Ｌ＝Ｆ１＋Ｆ３、Ｍ＝Ｆ２＋Ｆ３、Ｎ＝Ｆ２＋Ｆ４、Ｏ＝Ｆ３＋Ｆ４、Ｐ＝Ｆ３＋Ｆ５、Ｑ＝Ｆ４＋Ｆ５、Ｒ＝Ｆ１＋Ｆ２＋Ｆ３、Ｓ＝Ｆ１＋Ｆ２＋Ｆ４、Ｔ＝Ｆ１＋Ｆ３＋Ｆ４等である。勿論、多くの代替が可能である。異なるフレーム期間持続時間を有するシーケンスにおいて異なるフレーム期間を有する、フレーム期間のシーケンスを生成することにより、図５から明らかにもたらされるように、正味のデータ依存性信号を、従来技術における場合より小さい値を可能にする、電気泳動ディスプレイユニット１の最短のフレーム期間持続時間より短くすることができる。これは、階調のより正確な階調を可能にする。
【００４１】
上記の実施形態は本発明を限定するのではなく、例示するものであり、当業者が、同時提出の特許請求の範囲における範囲から逸脱することなく、多くの代替の実施形態を設計することができることに留意する必要がある。表現“を有する”及びその表現の派生の表現は、請求項に記載されている要素又は段階以外の要素又は段階の存在を排除するものではない。要素の単数表現はそのような要素の複数の存在を排除するものではない。本発明は、幾つかの別個の要素を有するハードウェア及び適切にプログラムされたコンピュータにより実行されることが可能である。幾つかの手段を列挙している装置請求項においては、それらの手段の幾つかは、ハードウェアと全く同一のアイテムにより実施されることが可能である。特定の手段が相互に異なる独立請求項において列挙されているということのみによりそれらの手段の組み合わせが有利に用いられることができないことを示すものではない。
【００４２】
本発明は、特に、従来技術が比較的柔軟性のない駆動をもたらし且つ基本概念に基づいていることに基づき、そして、特に、異なるフレーム期間持続時間を有する異なるフレーム期間の（組み合わせの）選択が駆動をより柔軟性があるようにすることに基づいている。
【００４３】
本発明は、特に、比較的柔軟性のある駆動を用いる電気泳動ディスプレイユニットを備えることにより上記問題点を解決し、有効な階調値数を増加することができ、階調値がより正確に生成されることができる点で優位性を有する。
【図面の簡単な説明】
【００４４】
【図１】画素（の断面図）を示す図である。
【図２】電気泳動ディスプレイユニットを示す図である。
【図３】電気泳動ディスプレイユニットを駆動するための波形を示す図である。
【図４】異なるフレーム期間持続時間と共に異なるフレーム期間を有する、本発明に従ったフレーム期間のシーケンスにより構成される本発明に従った２つのデータ依存性信号を示す図である。
【図５】異なるフレーム期間持続時間と共に異なるフレーム期間を有する、本発明に従ったフレーム期間のシーケンスにより構成される本発明に従った２０個のデータ依存性信号を示す図である。
【図１】
2006527410.tif 000003
【図２】
2006527410.tif 000004
【図３】
2006527410.tif 000005
【図４】
2006527410.tif 000006
【図５】
2006527410.tif 000007
【国際調査報告】
2006527410.tif 000008
2006527410.tif 000009